(57)【特許請求の範囲】
【請求項１】
可動部材と固定部材とにそれぞれ取付けられる第１、第２の取付け部材と、前記第１、第２の取付け部材の間に介在されてこの両取付け部材にわたる２つのリンクアームとを含むものであること、および、
前記２つのリンクアームのうちの一方のリンクアームが、前記第１、第２の取付け部材にピボット止めされた両端を有するものであること、および、
前記２つのリンクアームのうちの他の一方のリンクアームが、その一端にピボット止めされた延長アームを有していて、その延長アームの先端を介して前記第１の取付け部材に連結されているとともに、前記第２の取付け部材にピボット止めされた他端を有するものであること、および、
前記可動部材が前記固定部材に接近する第１の位置と前記可動部材が前記固定部材から離反する第２の位置との間を可動的に進退するように前記２つのリンクアームを介して前記可動部材を保持するものであること、および、
前記可動部材の端部を前記固定部材に対して前後方向に位置調節するためのものとして前後位置調節手段を前記第１の取付け部材側に備えており、かつ、前記前後位置調節手段が、前記他の一方のリンクアームに設けられた前記延長アームの先端と前記第１の取付け部材との間の距離を調節することのできる連結部を含んでいること
を特徴とする可動保持具。
【請求項２】
請求項１に記載の可動保持具であって、前記可動部材が位置調節される前後方向に対して直交する方向を前記可動部材の横方向とした場合、前記連結部は、前記可動部材の横方向と平行となるように設けられた縦長溝と、前記縦長溝の所定位置で前記延長アームの先端を前記第１の取付け部材に固定する固定具とから成っていることを特徴とする可動保持具。
【請求項３】
請求項２に記載の可動保持具であって、前記第１の取付け部材は、前記延長アーム付きの前記リンクアーム側に延びる補助延長部材を含み、前記前後位置調節手段の縦長溝は、前記延長アーム又は前記補助延長部材のいずれかに形成され、前記固定具は、前記縦長溝を貫通して前記補助延長部材と前記延長アームとをねじ結合する固定ねじから成っていることを特徴とする可動保持具。
【請求項４】
請求項３に記載の可動保持具であって、前記前後位置調節手段は、前記第１の取付け部材の補助延長部材又は前記延長アームに形成されたものであって前記縦長溝に対して直交する横長溝と、前記横長溝に係入されて前記延長アームを前記縦長溝に沿って変位するように前記延長アーム又は前記補助延長部材に偏心して取り付けられた偏心カムとから成っている切替機構を有することを特徴とする可動保持具。
【発明の詳細な説明】
【技術分野】
【０００１】
本発明は、扉の如き可動部材を開口筐体の如き固定部材に対して進退して可動部材を固定部材に接近したり固定部材から離反したりする扉開閉保持具の如き可動保持具の改良に関するものである。
【背景技術】
【０００２】
この種の可動保持具は、例えば、扉（可動部材）が筐体（固定部材）の開口を閉じる位置に接近したり、筐体の開口を開く位置に離反したりしてそれぞれの位置を保持するために、扉と筐体との間に取り付けられる２つの平行リンクアームから成っている。この可動保持具は、通常、扉を開方向の途中（中立位置より僅かに開方向に変位した一方の中立変位位置）まで手動で開くと、扉が自動的に開き、また扉を閉方向の途中（中立位置より僅かに閉方向に変位した他方の変位位置）まで手動で閉じると、扉が自動的に閉じるように、これらの平行リンクアームを弾性的に付勢する弾性付勢手段を備えている。
【０００３】
この種の可動保持具は、扉と筐体との間に取り付けられる際に、扉が筐体に対して正しい姿勢で取り付けることができるようにするために、扉を上下左右方向に位置調節したり、扉の一方の端部が他方の端部よりも筐体側に接近したり離反したりして扉を筐体の開口に正しい向きとなるように前後方向に位置調整することができることが要求される。
【０００４】
従来技術の可動保持具は、２つの平行リンクアームを扉及び筐体にそれぞれ取り付ける取付け部材を有し、両リンクアームの扉側の端部に連結リンクを取り付け、この連結リンクを扉側の取り付け部材に上下左右に位置調節しながら取り付けられるようになっており、また扉の前後方向の位置は、連結リンクの連結板の取付け部材に対する傾きを変えて調節するように構成されている（特許文献１参照）。
【０００５】
しかし、このような構造の可動保持具は、連結リンクの連結板と取付け部材とを上下左右に位置調節する調節ねじによって連結しており、扉を前後方向に位置調節する際に、上下左右の位置調節用の調節ねじを緩めなければならないので、扉を前後方向に位置調節しようとすると、上下左右方向の位置もずれる虞があった。このため、取付け部材を扉に固定した状態で扉の前後位置を調節することができないので、調節作業が面倒であった。
【０００６】
【特許文献１】特開２００５−２４０４６５号公報
【発明の開示】
【発明が解決しようとする課題】
【０００７】
本発明が解決しようとする課題は、可動部材の前後位置の調節が取付け部材を可動部材に固定したまま行うことができるようにして調節作業を容易に行うことができるようにし、従って取り付け部材を他の方向の位置調節とは独立して行うことができるようにして相互に影響を受けることがないようにした可動保持具を提供することにある。
【課題を解決するための手段】
【０００８】
本発明の課題解決手段は、可動部材と固定部材とにそれぞれ取付けられるべき第１と第２の取付け部材とこの第１と第２の取付け部材の間にピボット止めされた両端を有する２つの平行リンクアームとを含み、可動部材を固定部材に接近する第１の位置と可動部材を固定部材から離反する第２の位置との間を可動的に進退するように保持し、可動部材の端部を固定部材に対して前後方向に位置調節する前後位置調節手段とを備えた可動保持具において、前後位置調節手段は、一方のリンクアームに設けられ第１の取付け部材側のピボット止め位置からさらに延びる延長アームの先端と第１の取付け部材との間の距離を調節することができる連結部を含んでいることを特徴とする可動保持具を提供することにある。
【０００９】
本発明の課題解決手段において、連結部は、可動部材の横方向と平行となるように設けられた縦長溝とこの縦長溝の所定位置で延長アームの先端を第１の取付け部材に固定する固定具とから成っている形態とすることができる。
【００１０】
上記の形態において、第１の取付け部材は、一方のリンクアーム側に延びる補助延長部材を含み、前後位置調節手段の縦長溝は、一方のリンクアームの延長アーム又は第１の取付け部材の補助延長部材のいずれかに形成され、固定具は、この縦長溝を貫通して補助延長部材又は延長アームに延長アーム又は補助延長部材をねじ結合する固定ねじから成っているのが好ましい。
【００１１】
また、この場合に、前後位置調節手段は、第１の取付け部材の補助延長部材又は一方のリンクアームの延長アームに形成された横長溝とこの横長溝に係入されて延長アームを縦長溝に沿って変位するように延長アーム又は補助延長部材に偏心して取り付けられた偏心カムとから成っている切替機構を有することができる。
【発明の効果】
【００１２】
本発明によれば、可動部材の端部を固定部材に対して前後に位置調節する前後位置調節手段は、２つのリンクアームのうち一方のリンクアームに設けられ可動部材側のピボット止め位置からさらに延びる延長アームの先端を第１の取付け部材に対して進退自在にして一方のリンクアームを伸縮自在にしているので、第１の取付け部材を可動部材に固定したまま前後位置を緒節することができるので調節作業を容易に行うことができ、従って可動部材の前後方向の位置調節は、他の方向の位置調節に影響を与えることなく、別々に位置調節することができ、可動保持具の取り付けを容易に行うことができる。
【発明を実施するための最良の形態】
【００１３】
本発明の好ましい実施の形態による可動保持具１０を用いたキャビネット１が図１及び図２に示され、キャビネット１は、筐体（固定部材）２と扉（可動部材）３とから成っており、可動保持具１０は、キャビネット１の天板４Ｕと床板４Ｆの空間内に配置されて、扉３を筐体２に開閉自在に可動的に保持している。
【００１４】
本発明の可動保持具１０は、図２に示すように、扉（可動部材）３と筐体（固定部材）２とにそれぞれ取付けられるべき第１と第２の取付け部材２０、２２と、これらの第１と第２の取付け部材２０、２２の間にピボット止めされた両端を有する２つの平行リンクアーム３０、３２とを含み、扉（可動部材）３を筐体（固定部材）２に接近する第１の位置（図示の形態では図２（Ａ）の扉閉位置）と扉（可動部材）３を筐体（固定部材）２から離反する第２の位置（図示の形態では図２（Ｃ）の扉開位置）との間を進退するように扉３を筐体２に可動的に保持している。
【００１５】
また、可動保持具１０は、図２乃至図６に示すように、第１と第２との２つの平行リンクアーム３０、３２が第１の位置と第２の位置との間の中間位置（図２（Ｂ）及び図５参照）から第１の位置か第２の位置かに僅でもずれると、平行リンクアーム３０、３２を第１の位置か第２の位置かに自動的に枢動するように付勢する伸縮ばね４２を含む弾性付勢手段４０を更に備えている。
【００１６】
第１の取付け部材２０は、図２、図３及び図４乃至図６に示すように、扉３の背面にねじ又はその他の適宜の手段で取り付けられる断面Ｌ字形の取付け板２０Ｂから成っており、第１のリンクアーム３０の一端３０ＥＡは、この取付け板２０Ｂの水平板部２０ＢＨにピボットピン３０ＰＡによってピボット止めされ、第２のリンクアーム３２の一端３２ＥＡは、ピボットピン３２ＰＡによってピボット止めされた延長アーム３２ＥＮに後に述べる第２の位置調節手段６０を介して取付け板２０Ｂの水平板部２０ＢＨに連結されている。
【００１７】
第２の取付け部材２２は、同じく、図２、図３及び図４乃至図６に示すように、筐体２の内面にねじ又はその他の適宜の手段で取り付けられる矩形板２２Ｂから成っており、第１のリンクアーム３０の他端３０ＥＢは、この矩形板２２Ｂにピボットピン３０ＰＢによってピボット止めされ、第２のリンクアーム３２の他端３２ＥＢは、矩形板２２Ｂにピボットピン３２ＰＢによってピボット止めされている。なお、後に述べるように、第１のリンクアーム３０は、弾性付勢手段４０の一部が収納されるため、図３に示すように、平板状ではなく、角筒状となっているので、ピボットピン３０ＰＢの支持を補強するために、矩形板２２Ｂに一体でリンクアーム３０の端部３０ＥＢを挟み込むように支持する補助支持部２２ＢＳを有する。
【００１８】
弾性付勢手段４０は、図示の形態では、第１の取付け部材２０である取付け板２０Ｂの水平板部２０ＢＨの延長部２０ＢＥと第１のリンクアーム３０との間にそれぞれピボットピン４４ＰＡ、４４ＰＢによってピボット止めされた揺動アーム４４を含み、伸縮ばね４２は、この揺動アーム４２を平行リンクアーム３０、３２に応動して弾性的に変位するように一方のリンクアーム３０内に配置されており、図示の形態では、この伸縮ばね４２は、ガススプリングの形態であるが、通常のコイルスプリングの形態であってもよい。
【００１９】
揺動アーム４４の可動端４４Ｍ側のピボットピン４４ＰＢは、リンクアーム３０に設けられた長溝４８Ｇの形態の直線ガイド４８に沿って摺動するようになっており、伸縮ばね４２は、このピボットピン４４ＰＢに連結されてこのピボットピン４４ＰＢを図４乃至図６の左方向に弾性的に押している。
【００２０】
この可動保持具１０の動作を図３を参照して概略的に述べると、扉３が筐体２の開口を閉じている状態では、同図の（Ａ）部に示すように、平行リンアーム３０、３２は、筐体２の天板４Ｕ及び床板４Ｆの空間内に折り畳まれた状態で収納されて弾性付勢手段４０の伸縮ばね４２の伸長力で揺動アーム４４を介して平行リンクアーム３０、３２をこの状態を維持するので、扉３が筐体１の開口を閉じる閉位置（第１の位置）に保持される。
【００２１】
次に、扉３を閉位置（Ａ）から手で開くと、平行リンクアーム３０、３２は、第２の取付け部材２２のピボットピン３０ＰＢ、３２ＰＢを中心にピボット運動するが、この際、弾性付勢手段４０の揺動アーム４４は、伸縮ばね４２を圧縮しながら、第１の取付け部材２０の延長部２０Ｅをリンクアーム３０のピボットピン３０ＰＡを中心にピボット運動して扉３を傾けつつ第２の取付け部材２２側に移動する。そして、リンクアーム３０のピボットピン３０ＰＡと揺動アーム４４のピボットピン４４ＰＡと伸縮ばね４２とが一直線に整列した扉半開きの中間位置（中立位置）に達するが（図３の（Ｂ）参照）、この位置から扉３が僅かでも開方向に変位すると、伸縮ばね４２の伸長力Ｍが揺動アーム４４に図３の時計方向に作用し、図３の（Ｃ）に示すように、リンクアーム３０、３２を扉３の閉位置（第２の位置）まで自動的にピボット運動するので、手を離しても、扉３は、自動的に閉じられる。
【００２２】
逆に、扉３を閉じる際には、図３の（Ｃ）の第２の位置（閉位置）から扉３を図３の（Ｂ）の半開き中間位置を僅かに越える位置まで手で閉方向に操作すると、弾性付勢手段４０の揺動アーム４４が伸縮ばね４２の伸長力によって図３の反時計方向に作用し、扉３を閉じる方向にリンクアーム３０を付勢するので、手を離しても扉３が自動的に閉じる。
【００２３】
本発明の可動保持具１０は、第１の取付け部材２０の扉３に対する取付け位置を設定して扉３を筐体２に対して上下方向に位置調節する第１の位置調節手段（上下位置調節手段）５０と、扉３のいずれかの端部を筐体２に対して前後方向に位置調節する第２の位置調節手段（前後位置調節手段）６０とを備えている。
【００２４】
第１の位置調節手段５０は、図２に示すように、第１の取付け部材２０であるＬ字形取付け板２０Ｂの垂直板部２０ＢＶに設けられた複数の垂直長溝５２とこの垂直長溝５２を貫通し扉３の裏面にねじ込まれる固定ねじ５４とから成っている。
【００２５】
この第１の位置調節手段５０は、固定ねじ５４を緩めた状態で固定ねじ５４が垂直長溝５２内を相対的にスライドするように扉３を第１の取付け部材２０に対して上下方向に位置設定して所定の垂直位置で固定ねじ５４をねじ込んで扉３と第１の取付け部材２２との相対的垂直位置を調節しての扉３の筐体２に対する上下方向の位置を調節する。
【００２６】
第２の位置調節手段６０は、第２のリンクアーム３２に設けられ第１の取付け部材２０側のピボット止め位置からさらに延びる延長アーム３２ＥＮの先端と第１の取付け部材２０との間の距離を調節することができる連結部６０Ｃを含んでいる。図示の形態では、この連結部６０Ｃは、図４乃至図７、特に、図７に詳細に示すように、第１の取付け部材２０の一部に扉３の横方向に平行に設けられた縦長溝６２と、この縦長溝６２の所定位置で第２のリンクアーム３２の延長アーム３２ＥＮの先端をその長手方向に位置調節して水平板部２０ＢＨに固定する固定具６４とから成っている。
【００２７】
図示の形態では、取付け板２０Ｂは、固定ねじ６８で固定されて水平板部２０ＢＨから延びる補助延長部材２０ＢＭを有し、縦長溝６２は、この補助延長部材２０ＢＭに形成されている。
【００２８】
固定具６４は、図示の形態では、縦長溝６２を貫通してリンクアーム３２の延長アーム３２ＥＮにねじ込まれた拡大頭付き固定ねじ６４Ｓから成っている。
【００２９】
また、図示の形態では、第２の位置調節手段６０は、補助延長部材２０ＢＭに形成された横長溝６６Ｇと、この横長溝６６Ｇに係入されて延長アーム３２ＥＮを縦長溝６２に沿って変位するように補助延長部材２０ＢＭに偏心して取り付けられた偏心カム６６Ｃとから成る切替部６６を更に備えている。偏心カム６６Ｃは、その頂面にドライバー溝６６ＣＧを有し、偏心カム６６Ｃは、ドライバーの先端をこのドライバー溝６６ＣＧに差し込んで回すことによって偏心回転する。
【００３０】
固定ねじ６４Ｓを緩めた状態で、偏心カム６６Ｃを回して、偏心カム６６Ｃが図７（Ａ）（Ａ’）に示すように横長溝６６Ｇの一方の縁に位置させると、リンクアーム３２の延長アーム３２ＥＮは、固定ねじ６４Ｓが縦長溝６２の中間位置となり、この位置で固定ねじ６４Ｓを締め込んで延長アーム３２ＥNを取付け板２０Ｂの水平板部２０ＢＨの補助延長部材２０ＢＭに固定すると、リンクアーム３２は、中間長さの状態で取付け板２０Ｂの水平板部２０ＢＨに固定される（図４及び図８（Ａ）参照）。
【００３１】
また、この位置から、偏心カム６６Ｃを時計方向に９０度回して、偏心カム６６Ｃが図７（Ｂ）（Ｂ’）に示す中間位置となるように横長溝６６Ｇに位置させると、リンクアーム３２の延長アーム３２ＥＮは、固定ねじ６４Ｓが縦長溝６２の左縁に係合する位置まで図７の左側に押され、この位置で固定ねじ６４Ｓを締め込んで延長アーム３２ＥＮを取付け板２０Ｂの水平板部２０ＢＨの補助延長部材２０ＢＭに固定すると、リンクアーム３２は、最長の状態で取付け板２０Ｂの水平板部２０ＢＨに固定される（図５及び図８（Ｂ）参照）。
【００３２】
逆に、図７（Ａ）（Ａ’）の位置から、偏心カム６６Ｃを反時計方向に９０度回して、偏心カム６６Ｃが図７（Ｃ）（Ｃ’）に示すように横長溝６６Ｇの他方の縁に係合するように位置させると、リンクアーム３２の延長アーム３２ＥＮは、固定ねじ６４Ｓが縦長溝６２の右縁に係合する位置まで図７の右側に引っ張られ、この位置で固定ねじ６４Ｓを締め込んで延長アーム３２ＥＮを取付け板２０Ｂの水平板部２０ＢＨの補助延長部材２０ＢＭに固定すると、リンクアーム３２は、最短の状態で取付け板２０Ｂの水平板部２０ＢＨに固定される（図６及び図８（Ｃ）参照）。
【００３３】
第２のリンクアーム３２と第１の取付け部材２０、即ち、扉３の筐体２に対する前後方向の位置関係は、第２の位置調節手段６０の位置設定に応じて決まり、リンクアーム３２の延長アーム３２ＥＮが図７（Ａ）の中間長さから図７（Ｂ）又は図７（Ｃ）の最長長さ又は最短長さに伸縮することによって第２の取付け部材２２にピボットピン３０ＰＢ，３２ＰＢによって固定位置にピボット止めされている第１と第２のリンクアーム３０、３２の姿勢が図８（Ａ）から図８（Ｂ）又は図８（Ｃ）に変化するため、第１の取付け部材２０に取り付けられた扉３の一方の端部（図５の右側の端部）又は他方の端部（図６の左側の端部）が筐体２に対して前方に変位し前後の位置調節が行われることが解る。従って、もし、扉３が筐体２に対して図５又は図６のように一方の端部が後方に離反するような位置であった場合には、切替機構６６の偏心カム６６Ｃを反時計方向又は時計方向に９０度まわして図４の位置に調節することによって扉３を筐体２に対して正しい位置に設定することができる。
【００３４】
上記のように、扉３の端部の筐体２に対する前後位置は、第１の取付け部材を変位して調節されるのではなく、この取付け部材に対して、一方のリンクアームの延長アームの先端を伸縮して調節するので、第１の取付け部材を扉に固定したまま調節作業を行うことができ、従ってこの前後位置調節は、扉の他方向の位置調節とは独立して行われるので、前後位置の調節が他方向の位置調節に影響することがなく、また前後の位置調節を他方向の調節位置を確認しながら行う必要がないため、調節作業が容易となる。
【００３５】
なお、上記の実施の形態では、伸縮ばね４２は、ガススプリング４２Ｇを用いたが、ガススプリング以外のものであってもよく、また伸縮ばね４２は、押しばねの形態であったが、引きばねの形態であってもよく、後者の場合には伸縮ばね４２の位置が直線ガイド４８に対して反対側に配置されることになる。
【００３６】
更に、図示の形態では、補助延長部材２０ＢＭは、固定ねじ６８で第２の取付け部材２０であるＬ字形取付け板２０Ｂの水平板部２０ＢＨに固定されているが、この補助延長部材２０ＢＭは、水平板部２０ＢＨ
に一体に形成されていてもよい。
【産業上の利用可能性】
【００３７】
本発明によれば、可動部材の端部を固定部材に対して前後に位置調節するために、一方のリンクアームの先端を第１の取付け部材に対して進退自在にしてこの第１の取付け部材に固定して一方のリンクアームを伸縮自在にしているので、第１の取付け部材の位置設定によって可動部材を他方向に位置調節する手段とは独立して可動部材の前後位置を調節することができ、従って可動部材の前後方向の位置調節は、他の方向の位置調節に影響を与えることなく、別々に位置調節することができ、可動保持具の取り付けを容易に行うことができ、高い産業上の利用性を有する。
【図面の簡単な説明】
【００３８】
【図１】本発明の可動保持具を用いたキャビネットの概略図である。
【図２】図１と同様であるが、本発明の可動保持具を一層詳細に示す背面図である。
【図３】本発明の可動保持具によって扉が開閉される状態の推移を示す説明図である。
【図４】扉の閉位置で扉が筐体に対して正しい前後位置に設定されている状態の背面図である。
【図５】扉の閉位置で扉の一方の端部が筐体に対して離反している位置となっている不正状態の背面図である。
【図６】扉の閉位置で扉の他方の端部が筐体に対して離反している位置となっている他の不正状態の背面図である。
【図７】本発明の可動保持具の第２の位置調節手段の要部を拡大して示し、同図（Ａ）（Ａ’）は、延長アームを中間長さで第１の取付け部材に連結した状態の平面図及び断面図、同図（Ｂ）（Ｂ’）は、延長アームを同図（Ａ）（Ａ’）より長くして第１の取付け部材に連結した状態の平面図及び断面図、同図（Ｃ）（Ｃ’）は、延長アームを同図（Ａ）（Ａ’）より短くして第１の取付け部材に連結した状態の平面図及び断面図、同図（Ｄ）は、補助延長部材の平面図、同図（Ｅ）（Ｅ’）は、延長アームの平面図及び側面図である。
【図８】図４乃至図６の状態を概略的に示す概略図である。
【符号の説明】
【００３９】
１      キャビネット
２      開口付き筐体
３      扉
４Ｕ    天板
４Ｆ    床板
１０      可動保持具
２０      第１の取付け部材
２２      第２の取付け部材
２０Ｂ    帯板
２０Ｅ    延長部
２２Ｂ    矩形板
２０ＢＭ 補助延長部材
２２ＢＳ  補助支持部
３０      平行リンクアーム
３２      平行リンクアーム
３２ＥＮ  延長アーム
３０ＥＡ  リンクアーム３０の一端
３０ＥＢ  リンクアーム３０の他端
３０ＰＡ  ピボットピン
３０ＰＢ  ピボットピン
３２ＥＡ  リンクアーム３２の一端
３２ＥＢ  リンクアーム３２の他端
３２ＰＡ  ピボットピン
３２ＰＢ  ピボットピン
４０      弾性付勢手段
４２      伸縮ばね
４４      揺動アーム
４４ＰＡ、４４ＰＢピボットピン
４８      直線ガイド
４８Ｇ    長溝
５０      第１の位置調節手段
５２      垂直長溝
５４      固定ねじ
６０      第２の位置調節手段
６０Ｃ    連結部
６２      縦長溝
６４      固定具
６４Ｓ    固定ねじ
６６      切替機構
６６Ｇ    横長溝
６６Ｃ    偏心カム
【図１】
0004823993.tif 000002
【図２】
0004823993.tif 000003
【図３】
0004823993.tif 000004
【図４】
0004823993.tif 000005
【図５】
0004823993.tif 000006
【図６】
0004823993.tif 000007
【図７】
0004823993.tif 000008
【図８】
0004823993.tif 000009